(57)【要約】      （修正有）【課題】研磨布を有する研磨揚送装置において研磨布の取替えなどそのメンテナンス作業を容易にする。【解決手段】パチンコ機等の遊技機に使用する遊技球Ｂを研磨しながら揚送する研磨揚送装置１００において、研磨布１０５としてエレクトレット化された研磨布１０５を用い、この研磨布１０５を筐体１０１に対して保持する保持部材１０７として研磨布１０５を通過した汚れ物質を吸着可能であり、かつ弾性材料で形成されているものを採用した。【選択図】図２
2008093096.tif 000002
【特許請求の範囲】
【請求項１】
筐体と、筐体内へ通される搬送ベルトと、該搬送ベルトに対向して配置される研磨布を備え、前記搬送ベルトと前記研磨布とで遊技球を挟持しながら研磨揚送する遊技球研磨揚送装置において、
前記研磨布はエレクトレット化され、
該研磨布と前記筐体との間に配設されて前記研磨布を保持する保持部材が更に備えられ、該保持部材は前記研磨布を通過した汚れ物質を吸着可能な多孔質でありかつ弾性材料で形成されている、ことを特徴とする遊技球研磨揚送装置。
【請求項２】
前記保持部材は発泡樹脂からなる、ことを特徴とする請求項１に記載の遊技球研磨揚送装置。
【請求項３】
前記保持部材は分割され、分割された部分は個別に前記筐体に対して着脱可能である、ことを特徴とする請求項１又は２に記載の遊技球研磨揚送装置。
【請求項４】
前記保持部材は前記筐体の内面へ吸着シートにより着脱自在に取付けられている、ことを特徴とする請求項１〜３のいずれかに記載の遊技球研磨揚送装置。
【発明の詳細な説明】
【技術分野】
【０００１】
この発明は遊技球研磨揚送装置に関する。
【背景技術】
【０００２】
パチンコホール等の遊技場においては、パチンコ機に使用する遊技球を研磨するとともに各パチンコ機へ遊技球を補給するため、遊技島上部の球配給樋へ遊技球を揚送する研磨揚送装置が設置されている。例えば、図1は、従来の研磨揚送装置の概略構成を表す図である。従来の研磨揚送装置900は、上方に位置するローラ901と下方に位置するローラ902との間にゴム等からなる無端状の搬送ベルト903が掛け回され、回転モータ904がローラ902を回転駆動することで、搬送ベルト903が上下に周回するようになっている。また、搬送ベルト903の上昇移動する面に対向して、帯状の布である研磨布905が配置される。
【０００３】
入口ゲート906から投入された遊技球Bは、搬送ベルト903と研磨布905との間に挟まれながら上方へと揚送され、出口シュート907を介して球配給樋へ排出される。遊技球Bが搬送ベルト903により揚送される際に固定の研磨布905と圧接して転動移動することで、遊技球8に付着している汚れが研磨布905により研磨される。
【０００４】
遊技球Bの汚れを拭き取った後の研磨布は、研磨作用が衰えるため交換する必要がある。従来の研磨揚送装置では、研磨布の使用済み部分905bを作業員が矢印P方向へ引っ張り、ロール状に捲かれている未使用部分905aを新たに搬送ベルト903に対向させて張り換えている。
【発明の開示】
【発明が解決しようとする課題】
【０００５】
ところで、従来の研磨揚送装置においては研磨布905により拭き取られた汚れが遊技球に再付着しないように、数十時間おきに張り換え作業を行わなければならず、その作業も煩雑であった。また、研磨布905を搬送ベルト903に対して一定の間隔、及び充分な張力で設置しなければならない等、作業に熟練を要していた。
【課題を解決するための手段】
【０００６】
本発明はこうした従来の問題に鑑みてなされたものであり、パチンコ機等の遊技機に使用する遊技球を研磨しながら揚送する研磨揚送装置において、研磨布としてエレクトレット化された研磨布を用い、この研磨布を筐体に対して保持する保持部材として研磨布を通過した汚れ物質を吸着可能であり、かつ弾性材料で形成されているものを採用した。
【発明の効果】
【０００７】
このように構成された遊技球研磨揚送装置によれば、研磨布がエレクトレット化されているので研磨除去された汚れ物質はエレクトレット化された研磨布に保持され、汚れ物質の濃度の低い部位、即ちエレクトレット研磨布の背面側へ移動する。研磨布の背面に到達した汚れ物質は保持部材に吸着される。
エレクトレット化された研磨布は通常の（即ちエレクトレットされていない）研磨布に比べて汚れ物質の吸着容量が大きい。更には、多孔質材料からなる保持部材も汚れ物質の吸着に寄与するので、研磨布の交換のタイミングが大幅に長くなる。よって、場内作業者にかかる負担を低減することができる。
【発明を実施するための最良の形態】
【０００８】
ここに、エレクトレット化された研磨布とは、恒久的な静電荷を付与された研磨布をいう。かかるエレクトレット化された研磨布の表面に吸着された汚れ物質は、静電荷の有する静電引力より研磨布において汚れ物質の吸着量の小さい部分（エレクトレット材料の内部）に移動される。これにより、研磨布の表面（研磨面に対向する面）は常にリフレッシュされる。かかるエレクトレット化を許容する研磨布の材料として、ナイロン、ポリエステル、ポリプロピレン等の合成樹脂繊維、ガラス繊維、金属繊維若しくは天然繊維を挙げることができる。
エレクトレット化された研磨布の厚さや幅はとくに限定されるものではないが、既存の研磨布と同一とすることが好ましい。これにより、既存の研磨揚送装置においてその研磨布をこの発明のエレクトレット化された研磨布でそのまま置換することができる。
【０００９】
研磨布をエレクトレット化することだけでも研磨布の交換頻度を低減することができる。この発明では、エレクトレット化された研磨布においてその表面側（遊技球当接面側）から背面側へ移動してきた汚れ物質が保持部材に更に吸着されるので、汚れ物質を吸着する容量が更に増大する。もって、研磨布の交換インターバルを長くとることができる。
ここに保持部材は当該汚れ物質の吸着作用の他に、研磨布を保持してこれを搬送ベルト側へ付勢して研磨布を遊技球へ押圧している。そのため、保持部材は弾性材料で形成されている。かかる弾性材料として、ウレタン等の発泡高分子材料を用ることができる。ここに、発泡は連続気泡であって、かつその気泡が表面で開口していることが好ましい。汚れ物質の吸着容量を確保するためである。
【００１０】
保持部材にも汚れ物質の吸着容量があるので、これを交換する必要がある。
保持部材の交換作業を容易にするため、保持部材を分割することが好ましい。分割された各部分は、筐体に対し独自に着脱可能とすることが好ましい。勿論、保持部材は一体ものであっても良い。
実施例では、保持部材と研磨布とは別体とされ、保持部材の表面に研磨布が重ね合わされている。これにより、保持部材と研磨布とを個別に交換可能となる。保持部材に対して研磨布を貼着し両者を一体にすることもできる。これにより、部品点数が削減され、交換等のメンテナンス作業が容易になる。
筐体に対する保持部材の保持の態様は任意に選択することができる。例えば、筐体部内にレールを設けておいて、そこへ板状の保持部材を嵌め込んでいくことが考えられる。勿論、ナットやその他の機械的手段で保持部材を固定することも可能である。
【００１１】
この実施例では、両面吸着シートを保持部材と筐体内部との間に介在させることにより、保持部材の保持を図った。ここに両面吸着シートとは、吸着対象に対して吸着及び剥離が自在な面を両面に有するシートをいい、例えば、織布又は不織布の両面に発泡高分子材料層を設けてなるものがある。この発泡高分子材料層は開口した気泡を有し、その真空吸着により吸着対象に吸着する。かかる両面吸着シートして特開平２００６−１３７１１２号公報に開示のものを参照されたい。
【実施例】
【００１２】
以下この発明の実施例について説明をする。
図２は実施例の研磨揚送装置１００を示す。なお、図１と同一の要素には同一の符号を付してその説明を部分的に省略する。図３は要部拡大図である。
この実施例の研磨布１０５として、エレクトレット化されたポリエステル繊維とナイロン繊維を平織りしたものが用いられる。かかる研磨布として（株）クラレの提供する商品名ランプを用いることができる。この研磨布１０５は、従来用いられていた研磨布９０５と同一の幅及び厚さをすることが好ましい。既設の研磨揚送装置に適用することができるからである。
【００１３】
符号１０７は保持部材である。この保持部材１０７として弾性を有する発泡樹脂を用いることができる。この実施例ではポリウレタン、若しくはポリエステルを用いた。この保持部材１０７と筐体１０１との間には両面吸着シート１１０が介在される。この両面吸着シート１１０により保持部材１０７は筐体１０１の裏面に着脱自在に取付けられる。弾性体である保持部材１０７の厚さを調整することにより、研磨布１０５をベルト９０３側へ付勢する。これにより、遊技球Ｂが確実に研磨される。
なお、従来の研磨揚送装置においても保持部材が用いられていた。この保持部材は遊技球Ｂのガイド溝を有するソリッドな樹脂板であった。この保持部材と筐体との間には圧縮コイルばねが設けられて、保持部材を遊技球側へ付勢していた。
【００１４】
このような従来例の保持部材の構成に対し、この実施例で用いる発泡樹脂の弾性体からなる保持部材１０７はその構成が簡素となり、製造コストを低減させることができる。従来例の保持部材１０７に比べて交換の頻度が多くなったとしても、トータルのメンテナンスコストが小さくなる。更には、発泡樹脂製とすることにより、エレクトレット化された研磨布１０５を透過した汚れ物質を吸着し、筐体内へ落下させることがない。
【００１５】
他の実施例の研磨揚送装置２００を図４に示す。なお、図２と同一の作用を奏する要素には同一の符号を付してその説明を省略する。
この実施例の研磨揚送装置２００は、その保持部材が３分割されている。即ち、上側保持部材１０７ａ、中間保持部材１０７ｂ、下側保持部材１０７ｃがそれぞれ独立して筐体１０１へ両面吸着シートにより着脱可能に取付けられている。保持部材を分割して短尺化することにより、メンテナンス時の取扱いが容易になる。
上側保持部材１０７ａ、中間保持部材１０７ｂ、下側保持部材１０７ｃはそれぞれ発泡樹脂の弾性体からなり、研磨布１０５を遊技球側へ押圧するとともに、研磨布１０５を透過した汚れ物質を吸着する。
【００１６】
この発明は、上記発明の実施例の説明に何ら限定されるものではない。特許請求の範囲の記載を逸脱せず、当業者が容易に想到できる範囲で種々の変形態様もこの発明に含まれる。
【図面の簡単な説明】
【００１７】
【図１】図１は従来例の研磨揚送装置の構成を示す模式図である。
【図２】図２はこの発明の実施例の研磨揚送装置の構成を示す模式図である。
【図３】図３は同じく要部拡大図である。
【図４】図４は他の実施例の研磨揚送装置の構成を示す模式図である。
【符号の説明】
【００１８】
１００，２００．９００  研磨揚送装置
１０１  筐体
１０５、９０５  研磨布１３
１０７  保持部材
１１０  両面吸着シート
９０５  回転ベルト
Ｂ  遊技球
【図１】
2008093096.tif 000003
【図２】
2008093096.tif 000004
【図３】
2008093096.tif 000005
【図４】
2008093096.tif 000006